(57)【要約】【課題】  読み取り速度が速く、高画質の画像を読み取ることができる密着型イメージセンサモジュールを備えた画像読取装置を提供する。【解決手段】  複数色の光を時分割して放射し、第一対象物を照明する第一光源部と、白色光を放射し、第二対象物を照明する第二光源部と１チャネルの第一受光素子群が直線状に配列された第一イメージセンサと、３チャネルの第二受光素子群が前記第一受光素子群と平行に配列され、解像度が前記第一のイメージセンサと異なる第二イメージセンサと、前記第一受光素子群に第一対象物を結像させる第一レンズ部と、前記第二受光素子群に第二対象物を結像させる第二レンズ部と、前記第二光源から照射される白色光を色分解して前記第二受光素子群の各チャンネルに入射させるカラーフィルタとを有する密着型イメージセンサモジュールと、を備える。【選択図】    図１
2005260684.tif 000002
【特許請求の範囲】
【請求項１】
複数色の光を時分割して放射し、第一対象物を照明する第一光源部と、
白色光を放射し、第二対象物を照明する第二光源部と
１チャネルの第一受光素子群が直線状に配列された第一イメージセンサと、３チャネルの第二受光素子群が前記第一受光素子群と平行に配列され、解像度が前記第一イメージセンサと異なる第二イメージセンサと、前記第一受光素子群に第一対象物を結像させる第一レンズ部と、前記第二受光素子群に第二対象物を結像させる第二レンズ部と、前記第二光源部から照射される白色光を色分解して前記第二受光素子群の各チャンネルに入射させるカラーフィルタとを有する密着型イメージセンサモジュールと、
を備えることを特徴とする画像読取装置。
【請求項２】
前記第一受光素子群の配列範囲の長手方向の幅と前記第二受光素子群の配列範囲の長手方向の幅とが異なることを特徴とする請求項１に記載の画像読取装置。
【発明の詳細な説明】
【技術分野】
【０００１】
本発明は密着型イメージセンサモジュールを備えた画像読取装置に関する。
【背景技術】
【０００２】
従来、密着型イメージセンサモジュールを搭載する画像読み取り装置（特許文献１参照）が知られている。密着型イメージセンサモジュールは、光学系の光路が短いため、画像読み取り装置の小型化が容易である。
しかしながら、密着型イメージセンサモジュールは、原稿の最大読み取り幅に応じた長さのイメージセンサを備える。そのため、例えばＡ４サイズ幅が最大読み取り幅の画像読み取り装置では、３５ｍｍフィルムの読み取り解像度を高くするためであっても、Ａ４サイズ幅のイメージセンサの解像度を高くする必要がある。また一般に、イメージセンサの解像度が高くなるにつれて、そのイメージセンサで発生するノイズは大きくなる。そのため、特許文献１に記載の画像読取装置では、３５ｍｍフィルムのように原稿サイズが小さく画像情報の記録密度の高い原稿にあわせてイメージセンサの解像度を高くすると、印刷文書のように画像情報の記録密度が比較的低い原稿の読み取り画像の画質がすべての原稿サイズにおいて低下するという問題がある。
また、密着型イメージセンサモジュールは、赤色の光を発光するＬＥＤ、緑色の光を発光するＬＥＤ、及び青色の光を発光するＬＥＤを備え、それらを時分割で点灯させることにより、カラー画像の読み取りを行う。そのため特許文献１に記載の画像読取装置は、読み取り速度が遅いという問題がある。
【０００３】
特許文献２及び３に記載の画像読取装置は、複数の光学系を備え、原稿に応じて光路を変更することにより、所望の解像度で原稿を読み取ることができる。しかしながら、特許文献２及び３に記載の画像読取装置は、光学系の構成が複雑であり光路が長いため、製造コストが高く小型化に適さないという問題がある。
【特許文献１】特開２００１−１３３９０６号公報
【特許文献２】特開２００３−３７７１２号公報
【特許文献３】特開２００３−３７７１３号公報
【発明の開示】
【発明が解決しようとする課題】
【０００４】
本発明は、上記の問題に鑑みてなされたものであって、読み取り速度が速く、高画質の画像を読み取ることができる密着型イメージセンサモジュールを備えた画像読取装置を提供することを目的とする。
【課題を解決するための手段】
【０００５】
上記目的を達成するため、本発明に係る画像読み取り装置は、複数色の光を時分割して放射し、第一対象物を照明する第一光源部と、白色光を放射し、第二対象物を照明する第二光源部と１チャネルの第一受光素子群が直線状に配列された第一イメージセンサと、３チャネルの第二受光素子群が前記第一受光素子群と平行に配列され、解像度が前記第一イメージセンサと異なる第二イメージセンサと、前記第一受光素子群に第一対象物を結像させる第一レンズ部と、前記第二受光素子群に第二対象物を結像させる第二レンズ部と、前記第二光源部から照射される白色光を色分解して前記第二受光素子群の各チャンネルに入射させるカラーフィルタとを有する密着型イメージセンサモジュールと、を備える。一般に、イメージセンサの解像度が高くなるにつれて、そのイメージセンサで発生するノイズは大きくなる。本発明に係る密着型イメージセンサモジュールでは、第一イメージセンサの解像度と第二イメージセンサの解像度とが異なるため、読み取り解像度に適した解像度のイメージセンサを使用できる。低解像度の読み取り処理で低解像度のイメージセンサを使用することにより、上述のノイズの発生を低減できるため、低解像度で読み取る画像の画質を向上できる。
また、第一イメージセンサは、第一光源部が時分割して放射する光によって第一対象物の光学像を電気信号に変換する。そのため、第一イメージセンサによる読み取り時間は、第二イメージセンサによる読み取り時間よりも長くなる。読み取りピクセル数の多い画像を第二イメージセンサで読み取ることにより、読み取り時間を短縮することができる。
【０００６】
さらに本発明に係る画像処理装置では、前記第一受光素子群の配列範囲の長手方向の幅と前記第二受光素子群の配列範囲の長手方向の幅とが異なる。高解像度の読み取りが必要でありサイズの小さい原稿を読み取るイメージセンサに配列される受光素子群の配列範囲の長手方向の幅をその原稿に応じて短くすることにより、第一イメージセンサまたは第二イメージセンサの製造コストを低減できる。つまり、本発明に係る密着型イメージセンサモジュールの製造コストを低減できる。
【発明を実施するための最良の形態】
【０００７】
以下、本発明の実施の形態を一実施例に基づいて説明する。
図１から３は、本発明の一実施例による画像読取装置としてのイメージスキャナ１を示す模式図である。イメージスキャナ１は所謂フラットベット型のイメージスキャナである。イメージスキャナ１は、Ａ４サイズ及びＡ４レターサイズまでの反射原稿４（図１（Ａ）参照）と透過原稿とを読み取ることができる。第一対象物としての反射原稿４は、印刷文書、写真等である。第二対象物としての透過原稿は、３５ｍｍフィルム（ネガ／ポジフィルム）６（図１（Ｂ）参照）等である。以降の説明では、透過原稿は３５ｍｍフィルム６とする。尚、画像読み取り装置は、シートフィード型のイメージスキャナでもよいし、複合機でもよい。また、透過原稿は３５ｍｍフィルム６に限定されない。
【０００８】
ハウジング８は、上方が開口した箱形に形成されており、開口側に原稿台１０を支持している。原稿台１０は、概ね矩形のガラス板などの透明な板から形成されている。原稿台１０の盤面１２には、反射原稿４またはホルダ１４（図１（Ｂ）参照）に保持される３５ｍｍフィルム６が載置される。ホルダ１４に固定されている３５ｍｍフィルム６は、原稿台１０の盤面１２よりも１ｍｍ上方に離れた位置に保持される。
【０００９】
図３に示すように原稿カバー１６の原稿台１０側には、透過原稿用光源１８が配置されている。第二光源部としての透過原稿用光源１８は、図示しない蛍光管ランプ、リフレクタ、拡散板等を備える。蛍光ランプは、その長手方向軸線がガイドロッド２０の長手方向軸線と平行に延びるように配置される。リフレクタは、蛍光ランプの原稿台１０と反対側に設けられている。拡散板は、蛍光ランプの原稿台１０と同じ側に設けられている。蛍光ランプから放射された光は、リフレクタで反射し、拡散板によって拡散され、３５ｍｍフィルム６の読み取り領域Ａ１（図２参照）を均一な照度で照明する。尚、蛍光ランプは、ＬＥＤ（発光ダイオード）でもよい。
【００１０】
キャリッジ２２は、密着型イメージセンサモジュール２を収容する。
図４はイメージスキャナ１に搭載される密着型イメージセンサモジュール２を表す模式図である。
密着型イメージセンサモジュール２は、反射原稿用光源２４、第一ロッドレンズアレイ２６、第二ロッドレンズアレイ２８、第一イメージセンサ３０、及び第二イメージセンサ３２等を備える。図４（Ｂ）に示すように、これら密着型イメージセンサモジュール２の構成要素は互いの長手方向の中央を基準に整列して配置されている。第一イメージセンサ３０の長手方向の幅と第二イメージセンサ３２の長手方向の幅は異なる。具体的には、第一イメージセンサ３０に配列される第一受光素子３１の配列範囲の長手方向の幅は、Ａ４サイズ及びＡ４レターサイズの原稿が読み取り可能な２１８ｍｍである。第二イメージセンサ３２に配列される第二受光素子３３の配列範囲の長手方向の幅は、３５ｍｍフィルムが読み取り可能な２７ｍｍである。第一受光素子３１及び第二受光素子３３については後述する。反射原稿用光源２４及び第一ロッドレンズアレイ２６の長手方向の幅は、第一受光素子３１の配列範囲の長手方向の幅を基準に設計される。第二ロッドレンズアレイ２８の長手方向の幅は、第二受光素子３３の配列範囲の長手方向の幅に基づいて設計される。尚、密着型イメージセンサモジュール２の構成要素の配置は他の配置でもよい。例えば、図８に示すように密着型イメージセンサモジュール２の構成要素は互いの長手方向の一端面を基準に整列して配置されてもよい。また、第一イメージセンサ３０と第二イメージセンサ３２の長手方向の幅は原稿幅に応じて決めればよく、それぞれ２１８ｍｍと２７ｍｍに限定されない。
【００１１】
図１（Ａ）に示すように反射原稿４を読み取る処理には、反射原稿用光源２４、第一ロッドレンズアレイ２６、及び第一イメージセンサ３０が使用される。図１（Ｂ）に示すように３５ｍｍフィルム６を読み取る処理には、第二ロッドレンズアレイ２８及び第二イメージセンサ３２が使用される。第一イメージセンサ３０の解像度と第二イメージセンサ３２の解像度は異なる。具体的には、第一イメージセンサ３０の解像度は、反射原稿４に記録されている画像情報を十分に再現できる１２００ｄｐｉである。第二イメージセンサ３２の解像度は、３５ｍｍフィルム６に記録されている画像情報を十分に再現できる２４００ｄｐｉである。尚、第一イメージセンサ３０の解像度は１２００ｄｐｉに限定されるものではない。また、第二イメージセンサ３２の解像度は２４００ｄｐｉに限定されるものではない。
【００１２】
第一光源部としての反射原稿用光源２４は、特定の色の光を発光するＬＥＤ、及び導光体を備える。具体的には例えば、反射原稿用光源２４は、カラー画像を読み取るための赤色の光を発光するＬＥＤ（赤色ＬＥＤ）、緑色の光を発光するＬＥＤ（緑色ＬＥＤ）、及び青色の光を発光するＬＥＤ（青色ＬＥＤ）を備える。ＬＥＤが放射した光は、導光体により原稿台１０側に導かれて反射原稿４を照明する。図示しない導光体は、ガラスなどの光透過性の部材で形成されている。尚、第一光源部は、蛍光ランプを備えてもよい。
【００１３】
第一レンズ部としての第一ロッドレンズアレイ２６は、直線状に配列された複数の円柱形状のレンズ（ロッドレンズ）３６を有する。第一ロッドレンズアレイ２６は、反射原稿用光源２４から放射され反射原稿４で反射した光による走査線上の光学像を、第一ロッドレンズ３６により第一イメージセンサ３０に配列される第一受光素子３１の受光面に等倍で結像する。
【００１４】
第一イメージセンサ３０は、プリント基板４０に実装されている。第一イメージセンサ３０は、直線状に一列に配列された複数の第一受光素子３１、ＭＯＳトランジスタスイッチ等で構成される。第一イメージセンサ３０は、第一ロッドレンズアレイ２６より結像される反射原稿４の光学像を走査し、その光学像の濃淡に相関する電気信号を出力する。これにより反射原稿４の光学像を画像信号に変換する。
【００１５】
第一ロッドレンズアレイ２６の焦点距離及び第一ロッドレンズアレイ２６と第一イメージセンサ３０との間隔は、第一ロッドレンズアレイ２６により第一イメージセンサ３０の受光面に光学像が鮮明に結像される原稿の位置（焦点位置）が原稿台１０の盤面１２になるように設計されている。そのためイメージスキャナ１は、原稿台１０に盤面１２に載置される反射原稿４を鮮明に読み取ることができる。
【００１６】
第二レンズ部としての第二ロッドレンズアレイ２８は、第一ロッドレンズアレイ２６と同様の構成であり、第二ロッドレンズ３８を有する。第二ロッドレンズアレイ２８の焦点距離は第一ロッドレンズアレイ２６の焦点距離に等しい。第二ロッドレンズアレイ２８は、透過原稿用光源１８から照射され３５ｍｍフィルム６を透過した光による走査線上の光学像を、第二イメージセンサ３２に配列される第二受光素子３３の受光面に等倍で結像する。
【００１７】
第二イメージセンサ３２は、第一イメージセンサ３０の第一受光素子３１に平行に三列に配列された複数の第二受光素子３３、ＭＯＳトランジスタスイッチ等で構成され、その列毎に異なる色のカラーフィルタ４４が設けられている。具体的には例えば、カラーフィルタ４４は、赤色光を透過させるフィルタ（赤色フィルタ）４４ｒ、緑色光を透過させるフィルタ（緑色フィルタ）４４ｇ、及び青色光を透過させるフィルタ（青色フィルタ）４４ｂである。これにより、透過原稿用光源１８から放射された白色光を赤色の光と緑色の光と青色の光とに色分解できる。第二イメージセンサ３２は、第二ロッドレンズアレイ２８より結像される３５ｍｍフィルム６の光学像を走査することにより、その光学像の濃淡に相関する電気信号を出力する。これにより３５ｍｍフィルム６の光学像を画像信号に変換する。尚、カラーフィルタ４４は第二イメージセンサ３２に設けられている（オンチップカラーフィルタ）として説明したが、第二イメージセンサ３２と別の部品でもよい。
【００１８】
第二ロッドレンズアレイ２８は、第一ロッドレンズアレイ２６よりも１ｍｍだけ原稿台１０の盤面１２に近い位置でキャリッジ２２に固定されている。第二イメージセンサ３２は、プリント基板４０よりも１ｍｍだけ原稿台１０の盤面１２に近い位置でキャリッジ２２に固定されているプリント基板４２に実装されている。そのため、第二受光素子３３の受光面は第一受光素子３１の受光面よりも１ｍｍだけ原稿台１０の盤面１２に近い。第二ロッドレンズアレイ２８と第二受光素子３３の受光面とが１ｍｍだけ原稿台１０の盤面１２に近い位置に配置されているため、第二ロッドレンズアレイ２８と第二イメージセンサ３２とによる焦点位置は、原稿台１０の盤面１２から１ｍｍだけ上方に離れた位置になる。つまり、イメージスキャナ１は、ホルダ１４により原稿台１０の盤面１２より１ｍｍだけ上方に離れて保持されている３５ｍｍフィルム６を鮮明に読み取ることができる。尚、第二イメージセンサ３２の高さを第一イメージセンサ３０よりも１ｍｍだけ高く設計し、第一イメージセンサ３０と第二イメージセンサ３２とを同一のプリント基板４０に実装してもよい。また、原稿台１０の盤面１２から焦点位置までの距離は、原稿が保持される位置に応じて決めればよく、１ｍｍに限定されない。
【００１９】
図５は、イメージスキャナ１のハードウェア構成を表すブロック図である。
主走査駆動部５０は、第一イメージセンサ３０及び第二イメージセンサ３２を駆動するために必要な駆動パルスを第一イメージセンサ３０及び第二イメージセンサ３２に出力する駆動回路である。主走査駆動部５０は、例えば同期信号発生器、駆動用タイミングジェネレータ等から構成される。
【００２０】
副走査駆動部５２は、キャリッジ２２を摺動可能に保持するガイドロッド２０、図示しないステッピングモータ、駆動ベルト４６、図示しない駆動回路等を備える。ステッピングモータがキャリッジ２２を駆動ベルト４６で牽引することにより、第一イメージセンサ３０及び第二イメージセンサ３２と反射原稿４または３５ｍｍフィルム６とが相対移動する。これにより、二次元画像の走査が可能となる。
【００２１】
ＡＦＥ（アナログフロントエンド）部５４は、図示しないアナログ信号処理部、Ａ／Ｄ変換器等から構成される。アナログ信号処理部は第一イメージセンサ３０及び第二イメージセンサ３２から出力される電気信号に対して増幅、雑音低減処理等のアナログ信号処理を施して出力する。Ａ／Ｄ変換器はアナログ信号処理部から出力された電気信号を所定ビット長のディジタル表現の出力信号に量子化して出力する。
【００２２】
ディジタル画像処理部５６は、ＡＦＥ部５４から出力された出力信号に対し、ガンマ補正、画素補間法による欠陥画素の補間、シェーディング補正、画像信号の鮮鋭化、色空間変換等の画像処理を施す。
【００２３】
インタフェース部５８は、ＲＳ−２３２Ｃ、Ｂｌｕｅｔｏｏｔｈ、ＵＳＢなどの通信規格に準拠して構成される。イメージスキャナ１は、インタフェース部５８により図示しないパーソナルコンピュータ（ＰＣ）に通信可能に接続できる。
制御部６０は、ＣＰＵ６２、ＲＯＭ６４及びＲＡＭ６６を備えている。ＣＰＵ６２はＲＯＭ６４に記憶されたコンピュータプログラムを実行してイメージスキャナ１の各部を制御する。ＲＯＭ６４は各種のプログラムやデータを記憶しているメモリであり、ＲＡＭ６６は各種のプログラムやデータを一時的に記憶するメモリである。
【００２４】
図６は、反射原稿４を読み取る処理のフローチャートである。反射原稿４を読み取る処理では、イメージスキャナ１は、１ライン分の読み取り中に反射原稿用光源２４の各色のＬＥＤを時分割で点灯させることにより、３回の読み取りで１ライン分の反射原稿４のカラー画像データを読み取る。以降の説明では、イメージスキャナ１はＰＣに通信可能に接続されているものとする。
【００２５】
ユーザは、ＰＣの操作によりイメージスキャナ１に反射原稿４の読み取り要求を送信する。イメージスキャナ１は、インタフェース部５８を介して反射原稿４の読み取り要求を受信する。制御部６０は、反射原稿４の読み取り要求を受け付けると、副走査駆動部５２を制御して反射原稿４の読み取り開始位置にキャリッジ２２を搬送する（ステップＳ１００）。
【００２６】
ステップＳ１０２では、制御部６０は、キャリッジ２２を移動させながら、反射原稿用光源２４の赤色ＬＥＤと緑色ＬＥＤと青色ＬＥＤとを時分割で点灯させての反射原稿４のカラー画像を読み取る。
具体的には例えば、制御部６０は赤色ＬＥＤを点灯させるとともに、主走査駆動部５０を制御して走査範囲の反射原稿４の光学像を赤色成分に相関する電気信号（赤色電気信号）に変換し、ＡＦＥ部５４から出力される赤色成分に相関するディジタルデータ（赤色データ）をＲＡＭ６６に格納する。次に制御部６０は緑色ＬＥＤを点灯させるとともに、走査範囲の反射原稿４の光学像を緑色成分に相関する電気信号（緑色電気信号）に変換し、緑色成分に相関するディジタルデータ（緑色データ）をＲＡＭ６６に格納する。次に制御部６０は青色ＬＥＤを点灯させるとともに、走査範囲の反射原稿４の光学像を青色成分に相関する電気信号（青色電気信号）に変換し、青色成分に相関するディジタルデータ（青色データ）をＲＡＭ６６に格納する。異なる位置で連続して読み取られた赤色データ、緑色データ、及び青色データがＲＡＭ６６に格納されると、制御部６０はディジタル画像処理部５６にそれらのディジタルデータに基づいて１ライン分のカラー画像データを生成させる。
制御部６０は、反射原稿４のすべてのラインのカラー画像データが取得されるまで、キャリッジ２２を移動させながら１ライン分のカラー画像データの読み取りを繰り返すことにより、反射原稿４のカラー画像を読み取る。
反射原稿４の読み取りが終了すると、ステップＳ１０４において制御部６０は、キャリッジ２２を待機位置に搬送する。
【００２７】
図７は、３５ｍｍフィルム６を読み取る処理のフローチャートである。３５ｍｍフィルム６を読み取る処理では、３５ｍｍフィルム６の光学像を３列に配列された第二受光素子３３で各列に設けられたカラーフィルタ４４の色に応じた色成分に相関する電気信号に変換する。具体的に例えば、３５ｍｍフィルム６の光学像を、第二受光素子３３の第一列では赤色電気信号に、第二列では緑色電気信号に、第三列では青色電気信号に、１回の読み取りで変換する。つまり、３回の読み取りで３ライン分の３５ｍｍフィルム６のカラー画像データを読み取ることができる（図９参照）。
【００２８】
ユーザは、ＰＣの操作によりイメージスキャナ１に３５ｍｍフィルム６の読み取り要求を送信する。イメージスキャナ１は、インタフェース部５８を介して３５ｍｍフィルム６の読み取り要求を受信する。制御部６０は、３５ｍｍフィルム６の読み取り要求を受け付けると、透過原稿用光源１８の蛍光ランプを点灯する（ステップＳ２００）。
【００２９】
ステップＳ２０２では、制御部６０は、３５ｍｍフィルム６の読み取り開始位置にキャリッジ２２を搬送する。
ステップＳ２０４では、制御部６０は、キャリッジ２２を移動させながら、カラーフィルタ４４により色分解された３５ｍｍフィルム６の走査範囲の光学像を各色成分に相関する電気信号に変換させて３５ｍｍフィルム６のカラー画像を読み取る。図９は３５ｍｍフィルム６のカラー画像を読み取る動作の具体例を表す模式図である。図９はある時点から５回の読み取り動作を表している。この例では、第二イメージセンサ３２の３列に配置された第二受光素子３３の列間の幅だけキャリッジ２２が移動するタイミングで読み取りを繰り返すこととして説明する。位置Ｘ１からＸ７は、第二受光素子３３による読み取り位置を示す。赤色電気信号Ｒ１からＲ５は、それぞれ位置Ｘ１からＸ５において変換された赤色電気信号を示し、緑色電気信号Ｇ２からＧ６は、それぞれ位置Ｘ２からＸ６において変換された緑色電気信号を示し、青色電気信号Ｂ３からＢ７は、それぞれ位置Ｘ３からＸ７において変換された青色電気信号を示す。
【００３０】
第二イメージセンサ３２は、１回の読み取りで異なる位置の赤色電気信号と緑色電気信号と青色電気信号とを出力する。例えば１回目の読み取りでは、位置Ｘ１における赤色電気信号Ｒ１と位置Ｘ２における緑色電気信号Ｇ２と位置Ｘ３における青色電気信号Ｂ３とを、同時に出力する。第二イメージセンサ３２から出力される各色成分の電気信号は、ＡＦＥ部５４でディジタルデータに変換され、ＲＡＭ６６に格納される。その読み取り位置における赤色データと緑色データと青色データとがＲＡＭ６６に格納されると、制御部６０はディジタル画像処理部５６にそれらのディジタルデータに基づいて１ライン分のカラー画像データを生成させる。例えば３回目の読み取りが終了すると、制御部６０は、ＲＡＭ６６に格納されている位置Ｘ３における電気信号（Ｒ３、Ｇ３、Ｂ３）に相関する赤色データと緑色データと青色データとに基づいて１ライン分のカラー画像データ（（Ｒ３,Ｇ３,Ｂ３））を生成させる。同様に制御部６０は、４回目の読み取りが終了すると位置Ｘ４における１ライン分のカラー画像データ（（Ｒ４,Ｇ４,Ｂ４））を生成させ、５回目の読み取りが終了すると位置Ｘ５における１ライン分のカラー画像データ（（Ｒ５,Ｇ５,Ｂ５））を生成させる。つまり、３回の読み取りで３ライン分のカラー画像データを読み取ることができる。
制御部６０は、すべてのラインのカラー画像データが取得されるまで、キャリッジ２２を移動させながら１ライン分の読み取りを繰り返すことにより、３５ｍｍフィルム６のカラー画像を読み取る。
３５ｍｍフィルムのカラー画像の読み取りが終了すると、制御部６０は、透過原稿用光源１８の蛍光ランプを消灯し（ステップＳ２０６）、キャリッジ２２を待機位置に搬送する（ステップＳ２０８）。
【００３１】
以上説明した本発明の一実施例に係るイメージスキャナ１によると、解像度が１２００ｄｐｉの第一イメージセンサ３０と２４００ｄｐｉの第二イメージセンサ３２とを備えるため、画像情報の記録密度の低い反射原稿４を第一イメージセンサ３０で読み取り、画像情報の記録密度の高い３５ｍｍフィルム６を第二イメージセンサ３２で読み取ることができる。１２００ｄｐｉの読み取りで十分に再現可能な反射原稿４を、２４００ｄｐｉの第二イメージセンサ３２で読み取らず、１２００ｄｐｉの第一イメージセンサ３０で読み取ることにより、イメージセンサの解像度が高くなるにつれて大きくなる傾向のあるノイズの発生を低減できる。つまり、反射原稿４の読み取り画像の画質を向上できる。
【００３２】
さらに、透過原稿用光源１８が放射する白色光をカラーフィルタ４４で色分解して画像を読み取る第二イメージセンサ３２で３５ｍｍフィルム６を読み取ることにより、時分割で放射される光によって画像を読み取る場合と比較して、読み取り時間を短縮できる。
さらに、２４００ｄｐｉの第二イメージセンサ３２の長手方向の幅を、Ａ４サイズ及びＡ４レターサイズが読み取り可能な幅ではなく、３５ｍｍフィルム６に応じて２７ｍｍにすることにより、第二イメージセンサ３２のの製造コストを削減できる。つまり、イメージスキャナ１の製造コストを削減できる。
【００３３】
尚、密着型イメージセンサモジュール２は、反射原稿４で反射し第二イメージセンサ３２の受光面に入射する光を放射する第二の反射原稿用光源を設けてもよい。これにより、３５ｍｍフィルム６の読み取り領域Ａ１の範囲の反射原稿４を高解像度で読み取ることができる。
【図面の簡単な説明】
【００３４】
【図１】本発明の一実施例に係る画像読取装置を表す模式図である。
【図２】本発明の一実施例に係る画像読取装置を表す模式図である。
【図３】本発明の一実施例に係る画像読取装置を表す模式図である。
【図４】本発明の一実施例に係る模式図である。
【図５】本発明の一実施例に係る画像読取装置のブロック図である。
【図６】本発明の一実施例に係るフローチャートである。
【図７】本発明の一実施例に係るフローチャートである。
【図８】本発明の一実施例に係る模式図である。
【図９】本発明の一実施例に係る模式図である。
【符号の説明】
【００３５】
１  イメージスキャナ（画像読取装置）、２  密着型イメージセンサモジュール、４  反射原稿（第一対象物）、６  ３５ｍｍフィルム（第二対象物）、１０  原稿台、１８  透過原稿用光源（第二光源）、２４  反射原稿用光源（第一光源）、２６  第一ロッドレンズアレイ（第一レンズ部）、２８  第二ロッドレンズアレイ（第二レンズ部）、３０  第一イメージセンサ、３１  第一受光素子、３２  第二イメージセンサ、３３  第二受光素子、４４  カラーフィルタ
【図１】
2005260684.tif 000003
【図２】
2005260684.tif 000004
【図３】
2005260684.tif 000005
【図４】
2005260684.tif 000006
【図５】
2005260684.tif 000007
【図６】
2005260684.tif 000008
【図７】
2005260684.tif 000009
【図８】
2005260684.tif 000010
【図９】
2005260684.tif 000011